(57)【要約】【課題】階調の割り当てが少なくされる輝度の部分などで鮮鋭度の低下等を抑える。【解決手段】階調変換テーブルメモリ１０６には、輝度の累積ヒストグラムが正規化されたデータが記憶され、入力輝度値Ｓ１０１がアドレスとして入力されると輝度分布の平坦化などの階調変換を施された階調変換輝度データＳ１０６が出力される。また、周波数成分補正回路１０９は正規化累積ヒストグラムの傾きが小さい輝度の部分の高域周波数成分を増大させる。【選択図】図１
2006333202.tif 000002
【特許請求の範囲】
【請求項１】
入力された第１の輝度信号データに基づいて上記輝度信号データを第２の輝度信号データに階調変換する階調変換部と、
上記第１の輝度信号データ、および第２の輝度信号データの少なくとも一方に基づいて、上記第２の輝度信号データに対して、所定の周波数成分を増大または減少させる周波数成分補正、および輪郭部を強調する輪郭強調補正のうちの少なくとも一方を行う補正部と、
を備えたことを特徴とする映像信号処理装置。
【請求項２】
請求項１の映像信号処理装置であって、
上記補正部は、第１の輝度信号データの値が、その第１の輝度信号データの値を間の範囲に含む所定の差を有する２つの値がそれぞれ上記階調変換部で階調変換された場合に得られる値の差の、上記所定の差に対する比が、大きい場合よりも小さい場合に、上記所定の周波数成分を増大させる周波数成分補正または上記輪郭強調補正を行うように構成されたことを特徴とする映像信号処理装置。
【請求項３】
請求項１の映像信号処理装置であって、
上記階調変換部は、上記第１の輝度信号データの輝度分布を示す輝度ヒストグラムに基づいて、第２の輝度信号データへの変換を行うように構成されたことを特徴とする映像信号処理装置。
【請求項４】
請求項３の映像信号処理装置であって、
上記階調変換部は、各第１の輝度信号データに対する第２の輝度信号データの値が、上記輝度ヒストグラムにおける輝度信号データの輝度に対する度数の累積値に比例する値に等しくなるように上記階調変換をするように構成されたことを特徴とする映像信号処理装置。
【請求項５】
請求項４の映像信号処理装置であって、
上記補正部は、上記輝度ヒストグラムにおける輝度に対する度数の累積値の勾配が大きい部分よりも小さい部分の輝度について、上記所定の周波数成分を増大させる周波数成分補正または上記輪郭強調補正を行うように構成されたことを特徴とする映像信号処理装置。
【請求項６】
請求項５の映像信号処理装置であって、
上記補正部は、上記勾配の逆数に応じて、上記周波数成分補正または輪郭強調補正を行うように構成されたことを特徴とする映像信号処理装置。
【請求項７】
請求項６の映像信号処理装置であって、
上記補正部は、上記勾配の逆数にさらに調整可能な所定の値が加算された値に応じて、上記周波数成分補正または輪郭強調補正を行うように構成されたことを特徴とする映像信号処理装置。
【請求項８】
請求項５の映像信号処理装置であって、
上記補正部は、上記輝度ヒストグラムにおける輝度が所定数の範囲に分割された各範囲に対する上記所定数の段階の上記勾配に基づいて、上記周波数成分補正または輪郭強調補正を行うように構成されたことを特徴とする映像信号処理装置。
【請求項９】
請求項８の映像信号処理装置であって、
上記補正部は、上記所定数の段階の勾配の値またはその逆数をローパスフィルタ処理した値に基づいて、上記周波数成分補正または輪郭強調補正を行うように構成されたことを特徴とする映像信号処理装置。
【請求項１０】
請求項１の映像信号処理装置であって、
上記階調変換部は、上記第１の輝度信号データにおける所定の基準輝度以上の輝度について、輝度の範囲を縮小させる階調変換をするように構成されるとともに、
上記補正部は、上記所定の基準輝度以上の第１の輝度信号データに対応する第２の輝度信号データに対して、上記周波数成分補正または輪郭強調補正を行うように構成されたことを特徴とする映像信号処理装置。
【請求項１１】
入力された第１の輝度信号データに基づいて上記輝度信号データを第２の輝度信号データに階調変換する階調変換ステップと、
上記第１の輝度信号データ、および第２の輝度信号データの少なくとも一方に基づいて、上記第２の輝度信号データに対して、所定の周波数成分を増大または減少させる周波数成分補正、および輪郭部を強調する輪郭強調補正のうちの少なくとも一方を行う補正ステップと、
を有することを特徴とする映像信号処理方法。
【発明の詳細な説明】
【技術分野】
【０００１】
本発明は、ビデオカメラ等の撮像装置や液晶ディスプレイ等の画像表示装置などに用いられ、映像信号データの階調補正等を行う映像信号処理装置、および映像信号処理方法に関するものである。
【背景技術】
【０００２】
近年、液晶ディスプレイやプラズマディスプレイなどの画像表示装置、テレビジョン受像機、ＤＶＤやビデオプレイヤー、ビデオカメラ、ディジタルカメラなどの装置において、高画質化に伴い、映像をより鮮明に見せるために、入力された映像信号の階調を補正して階調性を拡大し、ダイナミックレンジを有効的に使用することなどが重要視されてきている。
【０００３】
上記階調補正は、例えばヒストグラム演算回路やルックアップテーブルからなる階調補正装置を用いて行われる（例えば、特許文献１参照。）。具体的には、例えば同文献の図７等に示されるように、まず、ヒストグラム累積加算器９が、ヒストグラムメモリ８に保持された入力輝度信号の輝度分布に基づいて、度数の累積ヒストグラムデータを求めて累積ヒストグラムメモリ１０に保持させ、ルックアップテーブル演算回路１１が、最大累積度数が出力輝度信号の最大値になるように各データを正規化して得られるルックアップテーブルデータをルックアップテーブルメモリ１２に保持させた後、上記ルックアップテーブルデータに基づいて、入力された映像信号の階調が変換されるようになっている。
【０００４】
また、さらに、同文献の図１等に示されるように、上記のようなヒストグラムデータを補正して、輝度に応じて階調変換程度を制御し、より画質の向上を図る技術も提案されている。
【特許文献１】特開平３−１２６３７７号公報
【発明の開示】
【発明が解決しようとする課題】
【０００５】
しかしながら、上記のようなヒストグラムデータを正規化して得られるルックアップテーブルを用いた階調変換では、分布が多い輝度の部分により多くの階調を割り当てて、分布の少ない部分は階調の割り当てを少なくするため、映像全体のコントラストは高くなる可能性がある一方、分布が少ない輝度の領域内のコントラストは却って低下したり鮮鋭度が下がってしまうという問題が生じる。このような問題点に関しては、ヒストグラムデータを補正して階調変換程度を制御したりする場合でも同様である。
【０００６】
本発明は、上記の点に鑑み、例えば、輝度分布における度数が少ない輝度の部分のように、輝度変換によって階調の割り当てが少なくされる輝度の部分などで鮮鋭度の低下を抑えたりして、画質を向上させることを目的としている。
【課題を解決するための手段】
【０００７】
上記課題を解決するため、本発明の映像信号処理装置は、
入力された第１の輝度信号データに基づいて上記輝度信号データを第２の輝度信号データに階調変換する階調変換部と、
上記第１の輝度信号データ、および第２の輝度信号データの少なくとも一方に基づいて、上記第２の輝度信号データに対して、所定の周波数成分を増大または減少させる周波数成分補正、および輪郭部を強調する輪郭強調補正のうちの少なくとも一方を行う補正部と、
を備えたことを特徴とする。
【０００８】
また、例えば、
上記補正部は、第１の輝度信号データの値が、その第１の輝度信号データの値を間の範囲に含む所定の差を有する２つの値がそれぞれ上記階調変換部で階調変換された場合に得られる値の差の、上記所定の差に対する比が、大きい場合よりも小さい場合に、上記所定の周波数成分を増大させる周波数成分補正または上記輪郭強調補正を行うように構成されたことを特徴とする。
【０００９】
これにより、例えば、階調変換部によって階調の割り当てが少なくされる輝度の部分などでも、補正部で所定の周波数成分を増大または減少させる処理や輪郭を強調する処理が行われることにより、鮮鋭度の低下が抑えられたりノイズの影響が低減されたりして画質が向上する。
【発明の効果】
【００１０】
本発明によれば、例えば、輝度分布における度数が少ない輝度の部分のように、輝度変換によって階調の割り当てが少なくされる輝度の部分などで鮮鋭度の低下を抑えたりして、画質を向上させることができる。
【発明を実施するための最良の形態】
【００１１】
以下、本発明の実施形態を図面に基づいて詳細に説明する。なお、以下の各実施形態において、他の実施形態と同様の機能を有する構成要素については同一の符号を付して説明を省略する。
【００１２】
《発明の実施形態１》
図１は、本発明の実施形態１の映像信号処理装置の構成を示すブロック図である。この映像信号処理装置は、階調変換回路１００によって、いわゆる輝度分布の平坦化等と称される階調変換の処理を行うとともに、周波数成分補正回路１０９によって、所定の周波数成分、例えば高域周波数成分を増大させることができるようになっている。以下、詳しく説明する。
【００１３】
ＡＤ変換器１０１は、入力輝度信号Ｓ１００をディジタル値である入力輝度値Ｓ１０１に変換するものである。
【００１４】
ヒストグラムメモリ１０２は、入力輝度値Ｓ１０１の輝度分布を記憶するものである。具体的には、例えば入力輝度値Ｓ１０１の各値をメモリのアドレスとする領域に、各輝度の画素の度数が記憶されるようになっている。記憶された度数は、輝度の順に、ヒストグラムデータＳ１０２として出力されるようになっている。
【００１５】
ヒストグラム累積加算器１０３は、上記ヒストグラムデータＳ１０２の累積値を計算し、累積ヒストグラムデータＳ１０３として出力するものである。
【００１６】
累積ヒストグラムメモリ１０４は、上記累積ヒストグラムデータＳ１０３を各輝度ごとに記憶するものである。具体的には、例えば各輝度の値をメモリのアドレスする領域に、度数の累積ヒストグラムデータＳ１０３が記憶され、累積ヒストグラムメモリデータＳ１０４として出力されるようになっている。
【００１７】
ルックアップテーブル演算回路１０５は、上記累積ヒストグラムメモリデータＳ１０４を、その最大累積度数が出力輝度信号の最大値に等しくなるように正規化し、輝度値Ｓ１０５Ａと対応させた正規化累積ヒストグラムデータＳ１０５Ｂ（ルックアップテーブルデータ）として出力するようになっている。
【００１８】
階調変換テーブルメモリ１０６（ルックアップテーブルメモリ）は、上記正規化累積ヒストグラムデータＳ１０５Ｂを記憶し、これに基づいて、入力輝度値Ｓ１０１の階調を変換して階調変換輝度データＳ１０６を出力するものである。具体的には、例えば図２に示すように、ルックアップテーブル演算回路１０５から出力される輝度値Ｓ１０５Ａ（階調変換テーブルメモリ入力輝度レベル）をアドレスとする領域に、上記正規化累積ヒストグラムデータＳ１０５Ｂ（階調変換テーブルメモリ出力輝度レベル）が記憶されるようになっている。そこで、この階調変換テーブルメモリ１０６に入力輝度値Ｓ１０１がアドレスとして入力されると、階調変換輝度データＳ１０６が出力される。ここで、図２の例では、入出力輝度レベルが４段階の勾配に対応する線形関係を有するようにされる例を示しているが、これに限らず、より段階を少なくして回路規模や処理負荷を低減できるようにしてもよいし、段階を多くして変換精度が高くなるようにしてもよい。
【００１９】
また、周波数成分補正制御回路１０７は、正規化累積ヒストグラムの傾き（図２のＡ〜Ｄ）に応じて、所定の周波数成分の増大程度を示す周波数成分補正ゲイン（ａ〜ｄ）を演算するものである。具体的には、ルックアップテーブル演算回路１０５から出力される階調変換テーブルメモリ出力輝度レベルＳ１０７Ａと、これに対応する傾きデータＳ１０７Ｂとが入力され、傾きデータＳ１０７Ｂの値が大きいほど小さな値、具体的には例えば傾きデータＳ１０７Ｂの逆数の値の周波数成分補正ゲインＳ１０８Ｂを求めるようになっている。求められた周波数成分補正ゲインＳ１０８Ｂは、周波数成分補正テーブルメモリ入力輝度レベルＳ１０８Ａ（階調変換テーブルメモリ出力輝度レベルＳ１０７Ａと同じ値）と対応させて出力するようになっている。
【００２０】
周波数成分補正テーブルメモリ１０８は、上記周波数成分補正ゲインＳ１０８Ｂを記憶し、階調変換輝度データＳ１０６に応じた周波数成分補正ゲインＳ１０９を出力するようになっている。具体的には、例えば図３に示すように、上記周波数成分補正テーブルメモリ入力輝度レベルＳ１０８Ａをアドレスとする領域に、周波数成分補正ゲインＳ１０８Ｂを記憶し、階調変換テーブルメモリ１０６から出力される階調変換輝度データＳ１０６に応じた周波数成分補正ゲインＳ１０９を出力するようになっている。
【００２１】
周波数成分補正回路１０９は、詳しくは例えば図４に示すように、階調変換輝度データＳ１０６における高域周波数成分を通過させるバンドパスフィルタ１０９ａ（ＢＰＦ）と、その出力に周波数成分補正ゲインＳ１０９を乗算する乗算器１０９ｂと、乗算結果を階調変換輝度データＳ１０６に加算して周波数成分補正輝度データＳ１１０を出力する加算器１０９ｃとを備え、例えば３．５８ＭＨｚを中心周波数、４．３ＭＨｚを上限周波数とする周波数成分を周波数成分補正ゲインＳ１０９に応じて増大させるようになっている。
【００２２】
ＤＡ変換器１１０は、ディジタル値である周波数成分補正輝度データＳ１１０をアナログの信号に変換して、出力輝度信号Ｓ１１１として出力するようになっている。
【００２３】
タイミング制御回路１１１は、上記階調変換回路１００の各回路等１０２〜１０６の動作タイミングを制御すようになっている。
【００２４】
以上のように構成された映像信号処理装置において以下その動作について説明する。
【００２５】
入力された入力輝度信号Ｓ１００は、ＡＤ変換器１０１によりディジタル信号に変換され、画素ごとの入力輝度値Ｓ１０１が出力される。上記入力輝度値Ｓ１０１は、ヒストグラムメモリ１０２のアドレスとして与えられ、各入力輝度値Ｓ１０１が入力されるごとに、そのアドレスの記憶データが１だけ増加した値に更新されるなお、上記記憶データは、例えば１垂直走査期間またはその整数倍などの一定期間ごとにクリアされる（０にされる。）。
【００２６】
次に、ヒストグラム累積加算器１０３は、ヒストグラムメモリ１０２に保持されたヒストグラムデータＳ１０２を順番に読み出して累積加算し、その結果の累積ヒストグラムデータＳ１０３を累積ヒストグラムメモリ１０４にストアする。
【００２７】
次に、ルックアップテーブル演算回路１０５は累積ヒストグラムメモリ１０４にストアされた累積ヒストグラムメモリデータＳ１０４の最大累積値が出力輝度レベルの最大値になるような正規化係数を計算し、その係数を累積ヒストグラムメモリ１０４の各データに乗算して、その結果の正規化累積ヒストグラムデータＳ１０５Ｂを階調変換テーブルメモリ１０６にストアする。これによって、階調変換テーブルメモリ１０６にＡＤ変換器１０１から入力輝度値Ｓ１０１が入力されると、図２に示すような関係で階調変換された階調変換輝度データＳ１０６が出力されるようになる。
【００２８】
また、ルックアップテーブル演算回路１０５からは、階調変換テーブルメモリ出力輝度レベルＳ１０７Ａが出力されるとともに、これに対応する傾きデータＳ１０７Ｂが演算されて出力され、周波数成分補正制御回路１０７は、上記傾きデータＳ１０７Ｂの値が大きいほど小さな値の周波数成分補正ゲインＳ１０８Ｂを求めて、周波数成分補正テーブルメモリ１０８に記憶させる。具体的には、図２に併せて示したように階調変換テーブルの４種類の傾きがＣ＜Ｄ＜Ｂ＜Ａとなるような大小関係を有している場合、ａ＜ｂ＜ｄ＜ｃとなるような大小関係の周波数成分補正ゲインＳ１０８Ｂが周波数成分補正テーブルメモリ１０８に記憶される。これによって、周波数成分補正テーブルメモリ１０８に階調変換テーブルメモリ１０６から階調変換輝度データＳ１０６が入力されると、図３に示すような周波数成分補正ゲインＳ１０９が出力されるようになる。
【００２９】
上記のような階調変換テーブルメモリ１０６および周波数成分補正テーブルメモリ１０８の設定が行われている状態で、階調変換テーブルメモリ１０６に入力輝度値Ｓ１０１が入力されると、これが階調変換された階調変換輝度データＳ１０６が出力される。すなわち、輝度の度数が高いほど多くの階調が割り当てられるので、輝度分布の平坦化が行われるとともに、例えば上記のように累積ヒストグラムが正規化される場合には、最大輝度の階調も割り当てられるのでダイナミックレンジの拡大が行われる。
【００３０】
そして、さらに、上記階調変換輝度データＳ１０６に応じた周波数成分補正ゲインＳ１０９が周波数成分補正テーブルメモリ１０８から出力され、周波数成分補正回路１０９によって、上記周波数成分補正ゲインＳ１０９に応じた程度だけ、階調変換輝度データＳ１０６における所定の周波数成分を増大させる処理が行われて、周波数成分補正輝度データＳ１１０が出力される。すなわち、例えば図５に示すように、入力輝度信号Ｓ１００における輝度レベルが、画面全体に占める割合が少ないような輝度レベルであると、階調変換テーブルメモリ１０６から出力される階調変換輝度データＳ１０６は階調数（振幅レベル、ダイナミックレンジ）が縮小されたものとなる。ところが、その部分に含まれる高域周波数成分は、周波数成分補正回路１０９によって振幅レベルが拡大され、周波数成分補正輝度データＳ１１０として出力される。それゆえ細かな絵柄などが含まれる部分の階調変換によるコントラスト低下は低減または防止され、メリハリ感のある出力信号を得ることができる。
【００３１】
なお、上記の例では、周波数成分補正制御回路１０７で、周波数成分補正ゲインＳ１０８Ｂとして傾きデータＳ１０７Ｂの逆数が求められる例を示したが、これに限らず、所定の値から傾きデータＳ１０７Ｂを減算した値が求められるようにしたり、傾きデータＳ１０７Ｂに対応する値が得られる関数やテーブルが用いられるようにしたりしてもよい。また、ゲイン調整回路などを設け、これにより所定のレジスタに設定された値が上記傾きデータＳ１０７Ｂの逆数などに加算されるようにして、一律に周波数成分補正ゲインＳ１０８Ｂを調整できるようにしてもよい。
【００３２】
また、周波数成分補正ゲインＳ１０８Ｂが段階的に異なるように設定される例を示したが、例えば上記周波数成分補正ゲインＳ１０８Ｂや傾きデータＳ１０７Ｂをローパスフィルタ処理した値が用いられるようにして、周波数成分補正ゲインの急な変化を抑え、変化を安定させることにより、周波数成分補正ゲインの切り換わり点での不自然さ、バタつきが抑えられるようにしてもよい。
【００３３】
また、上記の例では高域周波数成分を通過させるバンドパスフィルタ１０９ａが用いられ、そのバンドパスフィルタ１０９ａの出力が元のデータに加算（上記周波数成分が増幅）される例を示したが、これに限らず、帯域制限フィルタが用いられるようにしたり、フィルタの出力が減算（その周波数成分が減衰）されるようにしたり、また、これらが調整により選択できるようにしたり、さらにフィルタの周波数特性を調整できるようにしたりして、種々の映像の内容などに応じた特性の映像信号処理が行われるようにしてもよい。より具体的には、例えば、上記のように階調数が縮小される場合に高域周波数成分を増大等させれば鮮鋭度を増加させることができる一方、階調数が拡大される場合に高域周波数成分を減少等させれば、ノイズの影響を低減することなどができる。
【００３４】
また、上記の例では、階調変換輝度データＳ１０６に基づいて周波数成分補正ゲインＳ１０９が求められる例を示したが、入力輝度値Ｓ１０１に基づいて求められるなどしてもよい。すなわち、用いられるパラメータに応じたルックアップテーブルが作成されれば、同じ補正を行うことができる。
【００３５】
また、上記の例ではハードウェアによって階調変換や周波数成分の補正が行われる例を示したが、信号処理プロセッサ（ＤＳＰ）などのプロセッサとソフトウェアとによって同様の処理が行われるようにしたり、そのような構成とハードウェアとが組み合わされるようにしたりしてもよい。
【００３６】
《発明の実施形態２》
上記のような周波数成分の補正が行われるのに代えて（またはこれとともに）、輪郭強調が行われるようにしてもよい。具体的には、実施形態２の映像信号処理装置は、実施形態１の装置と比べて、例えば図６に示すように、周波数成分補正制御回路１０７、周波数成分補正テーブルメモリ１０８、および周波数成分補正回路１０９に代えて、輪郭補正制御回路２０７、輪郭補正テーブルメモリ２０８、および輪郭補正回路２０９を備えている点が異なっている。
【００３７】
上記輪郭補正制御回路２０７、および輪郭補正テーブルメモリ２０８は、実施形態１の周波数成分補正制御回路１０７、周波数成分補正テーブルメモリ１０８と同様のものであるが、出力される輪郭補正テーブルメモリ入力輝度レベルＳ２０８Ａ、輪郭補正ゲインＳ２０８Ｂ、および輪郭補正ゲインＳ２０９が、それぞれ輪郭補正程度の制御に応じた値になるように構成されている点が異なる（なお、用いられる値が同じであれば、実際には同じものを用いることができる。）。
【００３８】
輪郭補正回路２０９は、階調変換テーブルメモリ１０６から出力される階調変換輝度データＳ１０６に対して、上記輪郭補正ゲインＳ２０９に応じた程度だけ、映像の輪郭を強調する輪郭強調処理を行うようになっている。輪郭強調処理の方法は、特に限定されないが、例えば、映像信号の１次微分、および２次微分を求め、エッジ部分にシュート成分（縁取り）を付加してメリハリを持たせる方法や、信号のトランジェントを急峻にして輪郭部のいわゆる「きれ」をよくする方法などが適用できる。
【００３９】
具体的には、例えば図７に示すように、階調変換テーブルメモリ１０６による階調変換によって、入力輝度信号Ｓ１００に対して階調変換輝度データＳ１０６の振幅が小さく抑えられるような場合に、エッジ部分（輝度の急変部分）の前後付近でオーバーシュートやアンダーシュートさせて輝度の変化量を大きくしたりした輪郭補正輝度データＳ２１０が出力される。したがって、階調数が減少するような階調補正が行われる場合でも、その部分の鮮鋭度の低下が低減または防止される。
【００４０】
《発明の実施形態３》
上記のような周波数成分補正や輪郭補正は、輝度のヒストグラムに基づいて行われる階調変換と組み合わせて行われるのに限らず、階調の圧縮や拡大を伴う階調変換と組み合わせて行われるのであれば、同様にコントラストや鮮鋭度を高く保つことなどができる。
【００４１】
具体的には、例えば図８に示すように、図９のような変換特性を有する階調変換回路３００に周波数成分補正回路１０９等を組み合わせるようにしたり、図１０に示すように輪郭補正回路２０９を組み合わせるようにしてもよい。すなわち、上記階調変換回路３００は、例えば所定の閾値以下の入力輝度レベルに対しては、図９で１：１の比率の直線で表されるような、すなわち実際には輝度レベルが変化しないような変換をする一方、所定の閾値以上の入力輝度レベルについては、階調の圧縮を行うようになっている。このような処理は、例えばディジタルカメラ等でダイナミックレンジを縮小するためなどに用いられることがある。
【００４２】
上記のような階調変換でも、階調が圧縮される上記閾値以上の入力信号について、前記と同じように高域成分の増加や輪郭強調などの補正を行うことによってコントラストや鮮鋭度を向上させることなどが容易にできる。
【００４３】
なお、例えば上記のように階調変換特性があらかじめ定められるような場合には、周波数成分補正テーブルメモリ１０８や輪郭補正テーブルメモリ２０８なども、同様にあらかじめ設定されるようにして、周波数成分補正制御回路１０７や輪郭補正制御回路２０７を設けないようにしたりしてもよい。
【００４４】
また、上記実施形態１で説明したような変形例等は、可能な範囲で種々組み合わせて実施形態２、３に適用してもよい。具体的には、例えば実施形態３で、入力輝度レベルが閾値の前後のレベルの場合に、周波数成分補正や輪郭補正の程度が大きく異なることがないように、周波数成分補正テーブルメモリ１０８に保持される値などとしてローパスフィルタ処理した値などが用いられるようにしてもよい。
【産業上の利用可能性】
【００４５】
本発明にかかる映像信号処理装置は、例えば、輝度分布における度数が少ない輝度の部分のように、輝度変換によって階調の割り当てが少なくされる輝度の部分などでも、鮮鋭度の低下等を抑えて、画質を向上させることができるという効果を有し、ビデオカメラ等の撮像装置や液晶ディスプレイ等の画像表示装置などに用いられ、映像信号データの階調補正等を行う映像信号処理装置等として有用である。
【図面の簡単な説明】
【００４６】
【図１】実施形態１の映像信号処理装置の構成を示すブロック図である。
【図２】同、階調変換テーブルメモリ１０６の階調変換特性を示す説明図である。
【図３】同、周波数成分補正テーブルメモリ１０８による周波数成分補正ゲインを示す説明図である。
【図４】同、周波数成分補正回路１０９の詳細な構成を示すブロック図である。
【図５】同、映像信号処理装置の各部の信号例を示す説明図である。
【図６】実施形態２の映像信号処理装置の構成を示すブロック図である。
【図７】同、映像信号処理装置の各部の信号例を示す説明図である。
【図８】実施形態３の映像信号処理装置の構成を示すブロック図である。
【図９】同、階調変換回路３００の階調変換特性を示す説明図である。
【図１０】同、他の映像信号処理装置の構成を示すブロック図である。
【符号の説明】
【００４７】
１００      階調変換回路
１０１      ＡＤ変換器
１０２      ヒストグラムメモリ
１０３      ヒストグラム累積加算器
１０４      累積ヒストグラムメモリ
１０５      ルックアップテーブル演算回路
１０６      階調変換テーブルメモリ
１０７      周波数成分補正制御回路
１０８      周波数成分補正テーブルメモリ
１０９      周波数成分補正回路
１０９ａ    バンドパスフィルタ
１０９ｂ    乗算器
１０９ｃ    加算器
１１０      ＤＡ変換器
２０７      輪郭補正制御回路
２０８      輪郭補正テーブルメモリ
２０９      輪郭補正回路
３００      階調変換回路
Ｓ１００      入力輝度信号
Ｓ１０１      入力輝度値
Ｓ１０２      ヒストグラムデータ
Ｓ１０３      累積ヒストグラムデータ
Ｓ１０４      累積ヒストグラムメモリデータ
Ｓ１０５Ａ    輝度値
Ｓ１０５Ｂ    正規化累積ヒストグラムデータ
Ｓ１０６      階調変換輝度データ
Ｓ１０７Ａ    階調変換テーブルメモリ出力輝度レベル
Ｓ１０７Ｂ    傾きデータ
Ｓ１０８Ａ    周波数成分補正テーブルメモリ入力輝度レベル
Ｓ１０８Ｂ    周波数成分補正ゲイン
Ｓ１０９      周波数成分補正ゲイン
Ｓ１１０      周波数成分補正輝度データ
Ｓ１１１      出力輝度信号
Ｓ２０８Ａ    輪郭補正テーブルメモリ入力輝度レベル
Ｓ２０８Ｂ    輪郭補正ゲイン
Ｓ２０９      輪郭補正ゲイン
Ｓ２１０      輪郭補正輝度データ
【図１】
2006333202.tif 000003
【図２】
2006333202.tif 000004
【図３】
2006333202.tif 000005
【図４】
2006333202.tif 000006
【図５】
2006333202.tif 000007
【図６】
2006333202.tif 000008
【図７】
2006333202.tif 000009
【図８】
2006333202.tif 000010
【図９】
2006333202.tif 000011
【図１０】
2006333202.tif 000012